(57)【特許請求の範囲】
【請求項１】
前方に開口したスライド溝がそれぞれの長手方向に沿って設けられ、且つ壁面に沿わせるようにして上下方向に間隔を空けて略水平に配設される上下のガイドレールと、
上下方向に長尺に形成された支持体の上下端部をそれぞれに保持する上下の保持部材とを備え、
前記保持部材は、前記支持体の端部に連結される連結部と、該連結部の後端部から左右に延びるように設けられ、前記ガイドレールのスライド溝にスライド自在に収納されるスライド部と、前記スライド部のスライド方向両端部にそれぞれ設けられ、前記ガイドレールに対して当該保持部材を固定する一対の固定部とを備え、かつ当該保持部材の連結部及びスライド部は、一連に形成された平面視略Ｔ字状の略平板状とされていることを特徴とする支持体保持装置。
【請求項２】
請求項１において、
前記固定部は、ブロック状体とされ、後面側に設けられたストッパー部と、前面側に設けられた操作部とを備え、この操作部の操作がなされることで、前記ストッパー部が前記ガイドレールのスライド溝の溝底面に押し付けられて前記保持部材が前記ガイドレールに対して固定されることを特徴とする支持体保持装置。
【請求項３】
請求項１または２において、
前記上下のガイドレールにそれぞれ保持される上下の保持部材を複数備えていることを特徴とする支持体保持装置。
【請求項４】
請求項３に記載の支持体保持装置と、
当該支持体保持装置が備える左右に隣接する一組の上下の保持部材にそれぞれ保持される支持体としての左右の側板状体と、
これら左右の側板状体の間に設けられる収納部材とを備えていることを特徴とする壁付収納装置。
【発明の詳細な説明】
【技術分野】
【０００１】
本発明は、壁面に沿わせるように設置される収納装置の構成部材等を保持する支持体保持装置及びこれを備えた壁付収納装置に関する。
【背景技術】
【０００２】
家具等の収納装置を壁面に沿わせて設置する場合には、耐震対策等の観点から壁面に固定することが望まれていた。その場合、躯体側の制約から任意の位置への固定が困難となり固定位置が制約されるといった問題や、一旦固定すると別の場所へ移設することが容易にできないという問題があった。
下記特許文献１では、開口スリットを室内側に設けた断面形状略Ｃ字型のガイドレールに対して、フライダー及び取り付けピンを介して複数枚の側パネルを着脱自在に垂設する壁面家具装置が提案されている。
【０００３】
この壁面家具装置では、ガイドレールの開口スリット内に自在に挿入されるフライダーにネジ穴を設け、このネジ穴に取り付けピンをネジ込み、フライダーをガイドレールに固定する構造とされている。また、側パネルがガイドレールに固定された取り付けピンに対して連結される構造とされている。
これによると、ガイドレールのスリット内をフライダーが自在に移動できるため、側パネル等の被取付物を内装壁面の左右方向の任意の位置に取り付けることができるものではあった。
【先行技術文献】
【特許文献】
【０００４】
【特許文献１】特公平２−４９０８３号公報
【発明の概要】
【発明が解決しようとする課題】
【０００５】
しかしながら、上記特許文献１のような壁面家具装置では、フライダーのネジ穴にネジ込まれた略棒状の取り付けピンに対して側パネルが連結される構成であり、側パネル等の被取付物の固定強度の観点等からはさらなる改善が望まれていた。
【０００６】
本発明は、上記実情に鑑みてなされたものであり、側パネル等の被取付物を壁面の左右方向任意の位置に固定することが可能でありながらも、その固定強度を向上し得る支持体保持装置及びこれを備えた壁付収納装置を提供することを目的とする。
【課題を解決するための手段】
【０００７】
上記目的を達成するために、本発明に係る支持体保持装置は、前方に開口したスライド溝がそれぞれの長手方向に沿って設けられ、且つ壁面に沿わせるようにして上下方向に間隔を空けて略水平に配設される上下のガイドレールと、上下方向に長尺に形成された支持体の上下端部をそれぞれに保持する上下の保持部材とを備え、前記保持部材は、前記支持体の端部に連結される連結部と、該連結部の後端部から左右に延びるように設けられ、前記ガイドレールのスライド溝にスライド自在に収納されるスライド部と、前記スライド部のスライド方向両端部にそれぞれ設けられ、前記ガイドレールに対して当該保持部材を固定する一対の固定部とを備え、かつ当該保持部材の連結部及びスライド部は、一連に形成された平面視略Ｔ字状の略平板状とされていることを特徴とする。
【０００８】
本発明においては、前記固定部を、ブロック状体とし、後面側に設けられたストッパー部と、前面側に設けられた操作部とを備えたものとし、この操作部の操作がなされることで、前記ストッパー部が前記ガイドレールのスライド溝の溝底面に押し付けられて前記保持部材が前記ガイドレールに対して固定される構成としてもよい。
また、本発明においては、前記上下のガイドレールにそれぞれ保持される上下の保持部材を複数備えていてもよい。
【０００９】
また、上記目的を達成するために、壁付収納装置は、本発明に係る支持体保持装置と、当該支持体保持装置が備える左右に隣接する一組の上下の保持部材にそれぞれ保持される支持体としての左右の側板状体と、これら左右の側板状体の間に設けられる収納部材とを備えていることを特徴とする。
【発明の効果】
【００１０】
本発明に係る支持体保持装置及びこれを備えた壁付収納装置は、上述のような構成としたことで、側パネル等の被取付物を壁面の左右方向任意の位置に固定することが可能でありながらも、その固定強度を向上させることができる。
【図面の簡単な説明】
【００１１】
【図１】（ａ）、（ｂ）は、本発明の一実施形態に係る支持体保持装置及びこれを備えた壁付収納装置の一例を模式的に示し、（ａ）は、図２のＸ１部に対応させた概略拡大斜視図、（ｂ）は、図２のＸ２部に対応させた概略拡大斜視図である。
【図２】同支持体保持装置及びこれを備えた壁付収納装置の一例を模式的に示す概略斜視図である。
【図３】図２のＡ−Ａ線矢視に対応させた一部破断概略縦断面図である。
【図４】（ａ）は、図２のＹ１部に対応させた概略拡大斜視図、（ｂ）は、図２のＹ２部に対応させた概略拡大斜視図である。
【図５】（ａ）、（ｂ）は、同支持体保持装置及びこれを備えた壁付収納装置の施工手順の一例をそれぞれ模式的に示す概略斜視図である。
【図６】（ａ）、（ｂ）は、同支持体保持装置の保持部材の一変形例を模式的に示し、それぞれ図１（ａ）、（ｂ）に対応させた図である。
【発明を実施するための形態】
【００１２】
以下に本発明の実施の形態について、図面に基づいて説明する。
なお、一部の図では、他図に付している詳細な符号の一部を省略している。
また、以下の実施形態では、支持体保持装置及びこれを備えた壁付収納装置が施工された状態において、当該壁付収納装置に対面した使用者を基準として、前後方向や上下方向等の方向を説明する。
【００１３】
図１〜図６は、本実施形態に係る支持体保持装置及びこれを備えた壁付収納装置の一例について説明するための概念的な説明図である。
本実施形態に係る壁付収納装置１は、図２に示すように、壁面６に沿うように配設される上下方向に長尺の支持体５，５Ａ，５Ｂと、この支持体５，５Ａ，５Ｂを保持する支持体保持装置２と、を備えている。
図例では、支持体５，５Ａ，５Ｂとして、収納ユニットを構成する側板状体５，５Ａと、薄型テレビや絵画等の壁面取付物７ｄを支持する棒状支持体５Ｂと、を例示している。また、収納ユニットは、隣り合う左右の側板状体５，５（５Ａ，５Ａ）の間に設けられる各種の収納部材７を備えている。このような収納部材７としては図例のような棚板７ａや引出７ｃ、天板７ｂ等としてもよく、さらにはスライド棚や、底板等を収納部材としてもよい。
【００１４】
側板状体５，５Ａは、本実施形態では、複数本のフレームを枠組みして形成された枠状体とされている。図例では、図示左方側の収納ユニットを構成する側板状体５は、上下一対の横フレームと前後一対の縦フレームとによって枠状体とされている。また、図示右方側の収納ユニットを構成する側板状体５Ａは、上下一対の横フレームと前後一対の縦フレームとによって枠状体とされ、さらに縦フレーム間に中間縦フレームを設けた構成とされている。このような枠状体とされた側板状体５，５Ａとしては、図例のようなものに限られず、中間縦フレームや中間横フレーム等を更に設けたものとしてもよい。
また、図示左方側の収納ユニットは、左右の側板状体５，５の間に、収納部材７としての天板７ｂや棚板７ａを設けた例を示している。
また、図示右方側の収納ユニットは、二つの収納ユニットを左右に当接させるように横並びに設けた例を示している。これら二つの収納ユニットは、それぞれ左右の側板状体５Ａ，５Ａを左右に間隔を空けて配設し、これらの互いに隣り合う左右の側板状体５Ａ，５Ａ間に、収納部材７としての天板７ｂや棚板７ａ、引出７ｃを設けた例を示している。また、これら二つの収納ユニットのそれぞれの隣り合う側板状体５Ａ，５Ａ同士を後記する支持体保持装置２の上下の保持部材４，４Ａによって連結した例を示している。
【００１５】
なお、互いに隣り合う側板状体５，５（５Ａ，５Ａ）の対向面に、棚板７ａ等の収納部材７を支持する複数の係合突起等を、上下方向に沿って間隔を空けて設けるようにしてもよい。また、収納部材７を、引出７ｃやスライド棚とした場合には、上記対向面に、適宜、公知のスライドレール等を設けるようにしてもよい。
また、支持体としての側板状体としては、上記のような枠組み形成された枠状体に限られず、例えば、このような枠状体の左右面に面材等を貼り合わせたパネル体としてもよい。または、矩形平板状の中実パネルを側板状体としてもよい。
【００１６】
棒状支持体５Ｂは、角柱状または角筒状の棒状体とされており、図例では、二本の棒状支持体５Ｂ，５Ｂを左右に隣り合わせて配設した例を示している。また、図例では、これら二本の棒状支持体５Ｂ，５Ｂの前面側の上下方向の所定の位置に、薄型テレビや絵画等の壁面取付物７ｄを配設した例を示している。なお、二本の棒状支持体５Ｂ，５Ｂの間に、横フレームを上下方向の所定の位置に架け渡して、この横フレームに壁面取付物７ｄを支持させる態様としてもよい。また、二本の棒状支持体５Ｂ，５Ｂに引掛片を設けて、この引掛片に壁面取付物７ｄを引っ掛けて支持させる態様としてもよい。また、二本の棒状支持体５Ｂ，５Ｂによって壁面取付物７ｄを支持する態様に限られず、単一または三本以上の棒状支持体によって壁面取付物７ｄを支持する態様としてもよい。
【００１７】
支持体保持装置２は、壁面６に沿わせるようにして上下方向に間隔を空けて略水平に配設される上下のガイドレール３，３と、これら上下のガイドレール３，３のそれぞれにスライド自在に保持される上下の保持部材４，４Ａ，４Ｂ，４Ｃと、を備えている。また、本実施形態では、上下のガイドレール３，３にそれぞれ保持される上下の保持部材４，４Ａ，４Ｂ，４Ｃを複数備えたものとしている。また、図例では、上下の保持部材として二種類のものを例示しており、上述した各側板状体５，５Ａの上下端部をそれぞれに保持する上下の保持部材４，４Ａと、上述した各棒状支持体５Ｂの上下端部をそれぞれに保持する上下の保持部材４Ｂ，４Ｃとを例示している。
【００１８】
上下のガイドレール３，３は、略同様の構成とされており、これら上下のガイドレール３，３には、前方に開口したスライド溝３１，３１がそれぞれの長手方向に沿って設けられている。
これらガイドレール３，３は、図３に示すように、壁面６に沿わせるようにして固定される細長平板状の固定片部と、この固定片部の上下縁から前方に向けて突出する上下片部と、これら上下片部の前縁から互いに向き合う方向に突出する上下の係合片部と、を備えている。各ガイドレール３，３は、これら固定片部、上下片部及び上下の係合片部によってそれぞれのスライド溝３１，３１を区画形成している。
これら上下のガイドレール３，３のうち、上側のガイドレール３は、天井面に近接または当接するように設けてもよく、下側のガイドレール３は、床面Ｆの近傍に設けるようにしてもよい。
このガイドレール３の壁面６への固定は、ボルトやねじ等の固定止具によって固定するようにしてもよく、これに加えて接着剤等によって接着固定するようにしてもよい。
壁面６は、壁仕上げ面としてもよいが、胴縁や桟部材、間柱、通し柱、下地パネル等の壁下地の表面としてもよい。この場合は、当該壁付収納装置１を設置した後に、適宜の仕上げ壁パネル等を配設する態様としてもよい。また、鉄筋コンクリート造等の建築物において、直壁仕上げ等とされている場合には、その仕上げ面を壁面６としてもよい。
【００１９】
側板状体５（５Ａ）の上下端部をそれぞれに保持する上下の保持部材４，４Ａは、図１及び図３に示すように、上下のガイドレール３，３のスライド溝３１，３１に後端側が収容される。
これら上下の保持部材４，４Ａは、概ね同様の構成とされており、下側保持部材４Ａは、下部ローラー９を備えている点で上側保持部材４とは主に異なる。なお、下部ローラー９の具体的構成については後述し、これら上下の保持部材４，４Ａに共通する構成について説明する。
保持部材４，４Ａは、側板状体５（５Ａ）の上下端部に連結される連結部４１と、この連結部４１の後端部に設けられ、ガイドレール３のスライド溝３１に収容されるスライド部４２と、を備えている。本実施形態では、連結部４１の後端部から左右両側（ガイドレール３の長手方向と同方向）に延出させるようにスライド部４２を設けた例を示している。
【００２０】
また、本実施形態では、これら連結部４１及びスライド部４２を、平面視略Ｔ字状で一連に形成された略平板状としている。
この連結部４１への側板状体５（５Ａ）の上下端部の固定は、ボルトやねじ等の固定止具によって固定するようにしてもよく、これに加えて接着剤等によって接着固定するようにしてもよい。
また、本実施形態では、連結部４１は、その左右寸法（幅寸法）が、側板状体５（５Ａ）の厚さ寸法（左右寸法）よりも大きく形成されており、図例では、連結部４１の幅寸法を、側板状体５（５Ａ）の厚さ寸法の二倍程度とした例を示している。このような構成とすることで、上述のように二つの側板状体５Ａ，５Ａを当該保持部材４，４Ａによって連結することもできる。なお、このような態様に代えて、連結部４１の左右寸法を、側板状体５（５Ａ）の厚さ寸法（左右寸法）と略同寸法とするようにしてもよく、または、側板状体５（５Ａ）の厚さ寸法（左右寸法）よりも小さい寸法としてもよい。また、図例では、連結部４１の前後寸法を、比較的に前後寸法の小さい側板状体５の前後寸法と略同寸法とした例を示しているが、このような態様に限られない。また、比較的に前後寸法の大きい側板状体５Ａの上下端部を保持する上下の保持部材４，４Ａの連結部４１，４１の前後寸法を、この側板状体５Ａの前後寸法と略同寸法としてもよい。
【００２１】
スライド部４２は、その前後方向の幅寸法が、ガイドレール３のスライド溝３１の前後方向に沿う寸法よりも小さく設定されている。このスライド部４２はガイドレール３のスライド溝３１の内部に収納され、ガイドレール３の長手方向に沿ってスライド自在な構成とされている（図３参照）。
なお、上記したガイドレール３及び保持部材４，４Ａは、金属系材料や硬質の合成樹脂系材料から形成されたものとしてもよく、これらは、鋼板等の金属板を切削や切断、折り曲げ、切り起こし等の加工を施して上記形状としたものであってもよい。
【００２２】
また、保持部材４，４Ａは、図１（ａ）、（ｂ）に示すように、スライド部４２のスライド方向両端部４２ａ，４２ａにそれぞれ設けられ、ガイドレール３に対して当該保持部材４，４Ａを固定する一対の固定部４３，４３を備えている。
これら一対の固定部４３，４３はガイドレール３のスライド溝３１内にスライド自在に収納される。
また、これら一対の固定部４３，４３は、略同様の構成とされたブロック状体とされている。
固定部４３の下面側には、スライド部４２の中央側に向けて延びるように取付片４３ｃが設けられている。この取付片４３ｃがスライド部４２のスライド方向端部４２ａの下面に取り付けられることで、固定部４３がスライド部４２に固定されている。
固定部４３の取付片４３ｃのスライド方向端部４２ａへの固定は、ボルトやねじ等の固定止具によって固定するようにしてもよく、これに加えて接着剤等によって接着固定するようにしてもよい。また溶接にて固定してもよい。
【００２３】
この固定部４３の上下寸法は、上述したガイドレール３の上下の係合片部間の間隔よりも大きく形成されている。つまり、ガイドレール３の上下の係合片部が固定部４３の前方側への抜止として機能する。
また、本実施形態では、固定部４３は、図３に示すように、後面側に設けられたストッパー部４４と、前面側に設けられた操作部４５とを備えている。図例では、固定部４３の後面側にストッパー部４４を収容する後面凹所４３ａを設け、固定部４３の前面側に操作部４５を収容する前面凹所４３ｂを設けた例を示している。また、固定部４３には、前後方向に貫通する雌ねじ孔である挿通孔４３ｄが形成されている。
【００２４】
操作部４５の後面側には、固定部４３の挿通孔４３ｄと螺合する雄ねじ部が設けられ、この雄ねじ部の先端（後端）にストッパー部４４が取り付けられている。また、操作部４５は、ガイドレール３の上下の係合片部間に露出するように配設される。この操作部４５としては、ボルトやねじ等の止具頭としてもよい。つまり、ボルトやねじ等の止具によって操作部４５及び上記雄ねじ部を構成するようにしてもよい。これによれば、簡易な構造とすることができる。
【００２５】
ストッパー部４４は略円盤状体とされており、ガイドレール３のスライド溝３１の溝底面３２ａ（固定片部の前面）側の面が少なくとも摩擦抵抗の大きい材料から形成されている。
このような構成により、固定部４３は、ガイドレール３の前面側から操作部４５を操作して、ストッパー部４４をガイドレール３のスライド溝３１の溝底面３２ａに押し付けることでガイドレール３に固定される。また、保持部材４，４Ａのスライド部４２のスライド方向両端部４２ａ，４２ａに設けられた一対の固定部４３，４３がガイドレール３に固定されることで、このスライド部４２のスライド方向の移動が抑制され保持部材４，４Ａがガイドレール３に対して固定される。
なお、ストッパー部４４は、ガイドレール３のスライド溝３１の溝底面３２ａに当接された際に、保持部材４，４Ａの左右方向の移動を効果的に抑制する観点から、摩擦抵抗の比較的大きいゴム材などによって構成されていてもよい。
【００２６】
なお、固定部４３をガイドレール３に固定する態様としては、上記した例に限られない。例えば、固定部４３にストッパー部を設けずに、ガイドレール３の固定片部に長手方向に沿って間隔を空けて複数設けられた雌ねじ穴に、上記雄ねじ部を螺合させることで、ガイドレール３に対して固定部４３を固定させる構成であってもよい。
また、図例では、固定部４３は、保持部材４（４Ａ）のスライド部４２と一体形成されたものではなく、スライド部４２とは独立した別体として、当該スライド部４２に取り付けられる構成とされている。この構成によれば、例えば、スライド部４２の寸法が異なる保持部材４（４Ａ）や連結部４１の寸法が異なる保持部材４（４Ａ）を設ける場合に、固定部４３は共通のものとすることができる。
なお、固定部４３が、保持部材４（４Ａ）のスライド部４２と一体形成された構成であってもよい。
【００２７】
また、本実施形態では、保持部材４，４Ａのスライド部４２には、ガイドレール３のスライド溝３１の内面３２に当接してスライド方向に沿って転動自在とされた平面視略円柱状のガイドローラー８，８が、設けられている（図１（ａ）、（ｂ）参照）。
図例では、スライド部４２のスライド方向両端部４２ａ，４２ａの上面に、且つ左右の固定部４３，４３の間であって各固定部４３の近傍に、一対のガイドローラー８，８を設けた例を示している。ガイドローラー８は、スライド部４２の上面から上方に突出するように設けられた転動軸４２ｂ廻りに回動自在とされている。つまり、図例では、水平面域方向に回動自在とされたガイドローラー８を例示している。
【００２８】
また、ガイドローラー８の平面視における外径寸法は、ガイドレール３のスライド溝３１の内面３２としての固定片部の前面及びその対向面となる上係合片部の後面間の間隔より僅かに小さく設定されている。そのため、スライド部４２がガイドレール３のスライド溝３１内を左右方向に移動する際には、ガイドレール３の内面３２にガイドローラー８の側周面が当接して、ガイドローラー８が転動する構成となっている。
この構成によれば、保持部材４，４Ａをガイドレール３の長手方向に沿ってスムーズに移動させることができる。
なお、図１（ａ）、（ｂ）では、各ガイドローラー８，８が、各固定部４３の近傍に位置している例を示しているが、設置箇所は限定されず、スライド部４２の中央部寄りに設置されるなどの構成としてもよい。
また、図例では、水平面域方向に回動自在とされたガイドローラー８を例示しているが、垂直面域方向に回動自在とされたガイドローラー８としてもよい。この場合は、スライド溝３１の内面３２としての天面または底面に当接してガイドローラー８が転動することとなる。
また、ガイドローラー８は、耐摩耗性や摺動性に比較的に優れた金属系材料や硬質の合成樹脂系材料から形成されたものとしてもよい。
【００２９】
下側保持部材４Ａは、床面Ｆに当接されて床面Ｆ上をスライド方向に沿って走行可能とされた下部ローラー９を備えている。図例では、下側保持部材４Ａの連結部４１の前端部及び後端部の下面に、一対の下部ローラー９，９を設けた例を示している（図１（ｂ）、図３参照）。
この下部ローラー９は、図３に示すように、床面Ｆに当接されて床面Ｆ上を転動する転動輪９１を備えている。当該転動輪９１は、下側保持部材４Ａの連結部４１の下面に取り付けられる固定ブラケット９３の床面Ｆ側に開口する開口部内に収納されるように設置されている。
【００３０】
固定ブラケット９３は、平面視略矩形の平面部を有し、その平面部が下側保持部材４Ａの連結部４１の下面に取り付けられることにより、固定ブラケット９３が連結部４１に固定される。
この固定ブラケット９３の連結部４１の下面への固定は、ボルトやねじ等の固定止具によって固定するようにしてもよく、これに加えて接着剤等によって接着固定するようにしてもよい。
固定ブラケット９３は、床面Ｆに略水平で前後方向に架け渡された水平軸９２を有し、この水平軸９２廻りに転動輪９１が回動自在な構成となっている。
この下部ローラー９の転動輪９１が、床面Ｆに外周面を当接させながら、スライド部４２のスライド方向に沿って床面Ｆ上を転動する。
なお、図例では、下側保持部材４Ａの連結部４１の前端部及び後端部の下面に、一対の下部ローラー９，９を設けた例を示しているが、単一または三つ以上の下部ローラーを設けた態様としてもよい。
【００３１】
次に、棒状支持体５Ｂの上下端部を保持する上下の保持部材４Ｂ，４Ｃの具体的構成について説明する。なお、上記した上下の保持部材４，４Ａとの相違点について主に説明し、同様の構成については、同一符号を付し、その説明を省略または簡略に説明する。
これら上下の保持部材４Ｂ，４Ｃは、図４（ａ）（ｂ）に示すように、概ね上記と同様の連結部４１Ａとスライド部４２と一対の固定部４３，４３とを備えている。
本例では、上下の保持部材４Ｂ，４Ｃのスライド部４２に、ガイドローラー８，８を設けていない例を示している。また、下側保持部材４Ｃに下部ローラー９に代えて、アジャスター４０を設けた例を示している。なお、アジャスター４０の具体的構成については後述し、これら上下の保持部材４Ｂ，４Ｃに共通する構成について説明する。
【００３２】
本例では、スライド部４２とによって平面視略Ｔ字状で一連に形成された略平板状とされた連結部４１Ａの平板状部位の両側に、棒状支持体５Ｂの端部を挟むように保持する一対の把持部４１ａ，４１ａを設けている点が上記した例とは異なる。また、棒状支持体５Ｂの前後寸法に応じた寸法となるように、連結部４１Ａの前後寸法を上記した例よりも小さい寸法としている。
上側保持部材４Ｂは、連結部４１Ａの平板状部位の両側縁から下方に向けて垂れ下がるように一対の把持部４１ａ，４１ａを設けている。
下側保持部材４Ｃは、連結部４１Ａの平板状部位の両側縁から上方に向けて立ち上がるように一対の把持部４１ａ，４１ａを設けている。つまり、これら上下の保持部材４Ｂ，４Ｃは、それぞれの連結部４１Ａの平板状部位の両側縁から、互いに向き合う方向に突出させるようにして、一対の把持部４１ａ，４１ａを設けている。
このような一対の把持部４１ａ，４１ａを連結部４１Ａに更に設けることで、支持体（棒状支持体５Ｂ）の上下端部を上記した例と比べて、より強固に保持することができる。
なお、この連結部４１Ａへの棒状支持体５Ｂの端部の固定は、上記同様の固定止具によって固定するようにしてもよく、これに加えて接着剤等によって接着固定するようにしてもよい。
また、本例では、ガイドローラー８をスライド部４２に設けていない例を示しているが、ガイドローラー８をスライド部４２に設けるようにしてもよい。
【００３３】
下側保持部材４Ｃのアジャスター４０は、図４（ｂ）に示すように、連結部４１Ａの下面に設けられている。
下側保持部材４Ｃの連結部４１Ａの下面の略中央には、雌ねじ部が形成されており、アジャスター４０は、この雌ねじ部に螺合する雄ねじ部と、その床面Ｆ側の端部に設けられた伸縮頭部４０ａとを備えている。
アジャスター４０の雄ねじ部が、連結部４１Ａの下面の雌ねじ部に螺合することで、アジャスター４０が連結部４１Ａの下面に取り付けられる。
【００３４】
アジャスター４０は、伸縮頭部４０ａの摘み部を操作することで、連結部４１Ａの雌ねじ部に対してアジャスター４０の雄ねじ部が上下に進退し、伸縮頭部４０ａが上下方向に沿って伸縮する構成とされている。
このように、アジャスター４０を下側保持部材４Ｃの連結部４１Ａの下面に設けて、伸長させて床面Ｆに当接（圧接）させることで、下側保持部材４Ｃを床面Ｆ上に安定的に支持させることができる。従って、これら上下の保持部材４Ｂ，４Ｃに上下端部が保持される棒状支持体５Ｂを安定的に保持することができ、これに支持される例えば薄型テレビや絵画等の壁面取付物７ｄを安定的に支持することができる。
【００３５】
なお、アジャスター４０の伸縮頭部４０ａの床面Ｆへの当接面に、滑止部材を設けるようにしてもよい。
また、上記同様のアジャスター４０を、上側保持部材４Ｂの連結部４１Ａの上面に設け、このアジャスター４０の伸縮頭部４０ａの上面を天井面に当接させる態様としてもよい。このようなアジャスター４０を設けることで、床面Ｆや天井面の不陸を吸収することができる。また、このようなアジャスター４０を、上記した側板状体５（５Ａ）の上端部を保持する上側保持部材４に設けるようにしてもよい。
さらに、上下方向に沿って伸縮するアジャスター４０としては、図例のようなものに限られず、種々のアジャスターの採用が可能である。
さらには、このようなアジャスター４０を設けないようにしてもよい。この場合は、下側保持部材４Ｃに、上記同様の下部ローラー９を設けるようにしてもよい。
また、本例において説明した連結部４１Ａに設けられた一対の把持部４１ａ，４１ａを、上記した側板状体５（５Ａ）の上下端部をそれぞれに保持する上下の保持部材４，４Ａに設けるようにしてもよい。
【００３６】
次に、本実施形態に係る支持体保持装置２及びこれを備えた壁付収納装置１の施工手順の一例について説明する。
まず、図５（ａ）に示すように、壁面６に沿わせるようにして上下方向に間隔を空けて略水平に上下のガイドレール３，３をそれぞれ配設する。
次いで、上下のガイドレール３，３のそれぞれのスライド溝３１，３１に、必要に応じた数量の上下の保持部材４，４Ａ，４Ｂ，４Ｃのスライド部４２をスライドさせて収納させる。また、上下の保持部材４，４Ａ，４Ｂ，４Ｃを、支持体５，５Ａ，５Ｂを設置したいガイドレール３の左右方向の所定の箇所に位置させて、各保持部材４，４Ａ，４Ｂ，４Ｃの間の左右の間隔を所望の間隔となるよう調整して各保持部材４，４Ａ，４Ｂ，４Ｃの位置決めを行う。
このように位置決めした後、上述のように、各固定部４３の操作部４５の操作を行い、ガイドレール３に対して各保持部材４，４Ａ，４Ｂ，４Ｃを固定する。
【００３７】
次いで、図５（ｂ）に示すように、上下の保持部材４，４Ａ，４Ｂ，４Ｃの各連結部４１，４１Ａに支持体５，５Ａ，５Ｂの上下端部を固定する。
また、図２に示すように、隣り合う側板状体５，５（５Ａ，５Ａ）の間に棚板７ａ、引出７ｃなどの各種の収納部材７を取り付け、上記した収納ユニットを形成するようにしてもよい。また、二本の棒状支持体５Ｂ，５Ｂによって、薄型テレビや絵画等の壁面取付物７ｄを支持させるようにしてもよい。
【００３８】
また、例えば、模様替え等で、収納ユニットを壁面６に沿わせて左右方向に移動させたい場合には、上下の保持部材４，４Ａの固定部４３，４３の操作部４５，４５を操作して、ガイドレール３のスライド溝３１の溝底面３２ａへのストッパー部４４，４４の押し付け状態を解除する。これにより、上下の保持部材４，４Ａをガイドレール３，３の長手方向に沿って容易にスライドさせることが可能となる。また、この際、上下の保持部材４，４Ａによって、側板状体５（５Ａ）を保持させた状態で、さらには、隣り合う側板状体５，５（５Ａ，５Ａ）の間に棚板７ａ、引出７ｃなどの各種の収納部材７を設けた状態で移動させることもできる。
そして、上記同様、上下の保持部材４，４Ａの各固定部４３の操作部４５の操作を行い、ガイドレール３に対して固定するようにしてもよい。
なお、棒状支持体５Ｂを移動させたい場合にも、上記と概ね同様にして移動することもできる。この場合は、下側保持部材４Ｃのアジャスター４０の伸縮頭部４０ａを床面Ｆから離反させて行うようにしてもよい。
【００３９】
本実施形態に係る支持体保持装置２及びこれを備えた壁付収納装置１によれば、支持体５，５Ａ，５Ｂを壁面６の左右方向任意の位置に固定することが可能でありながらも、その固定強度を向上させることができる。
つまり、支持体５，５Ａ，５Ｂを保持する保持部材４，４Ａ，４Ｂ，４Ｃは、ガイドレール３のスライド溝３１に収納されるスライド部４２のスライド方向両端部４２ａ，４２ａにそれぞれ設けられた固定部４３，４３によってガイドレール３に対して固定される。従って、当該保持部材４，４Ａ，４Ｂ，４Ｃのガイドレール３に対する固定強度を向上させることができる。
また、これら保持部材４，４Ａ，４Ｂ，４Ｃの両側の固定部４３，４３の間に、支持体５，５Ａ，５Ｂの端部に連結されて当該支持体５，５Ａ，５Ｂを保持する連結部４１，４１Ａが設けられている。そのため、支持体５，５Ａ，５Ｂの左右方向に外力等が作用した場合にも、当該支持体５，５Ａ，５Ｂを安定的に保持することができる。従って、これら保持部材４，４Ａ，４Ｂ，４Ｃに保持される支持体５，５Ａ，５Ｂの固定強度を向上させることができる。
【００４０】
また、本実施形態では、支持体としての側板状体５（５Ａ）の下端部を保持する下側保持部材４Ａに、床面Ｆ上をスライド方向に沿って走行可能とされた下部ローラー９を設けている。従って、支持体（側板状体５（５Ａ））の保持強度を向上させながらも、壁面６の左右方向に沿って被取付物を移動させる際における作業性を向上させることができる。
つまり、下部ローラー９によって支持体（側板状体５（５Ａ））等の荷重を受けることができ、また、この下部ローラー９が、床面Ｆ上をスライド方向に沿って走行可能とされている。従って、この下側保持部材４Ａと上側保持部材４とによって保持される支持体（側板状体５（５Ａ））の保持強度を向上させながらも、壁面６の左右方向に沿って支持体５（５Ａ）を移動させる際における作業性を向上させることができる。
また、棒状支持体５Ｂの下端部を保持する下側保持部材４Ｃにも、上述のように、アジャスター４０に代えて、下部ローラー９を設けることにより、上記と同様の効果を奏することができる。
【００４１】
さらに、本実施形態では、支持体としての側板状体５（５Ａ）の上下端部をそれぞれに保持する上下の保持部材４，４Ａのスライド部４２に、ガイドレール３のスライド溝３１の内面３２に当接してスライド方向に沿って転動自在とされたガイドローラー８を設けている。従って、これら上下の保持部材４，４Ａをガイドレール３の長手方向に沿って移動させる際に、スムーズに移動させることができる。
【００４２】
さらにまた、本実施形態では、各保持部材４，４Ａ，４Ｂ，４Ｃの固定部４３を、ブロック状体とし、後面側に設けられたストッパー部４４と、前面側に設けられた操作部４５とを備えたものとしている。また、この操作部４５の操作がなされることで、ストッパー部４４がガイドレール３のスライド溝３１の溝底面３２ａに押し付けられて保持部材４，４Ａ，４Ｂ，４Ｃがガイドレール３に対して固定される構成としている。
従って、ガイドレール３の前面側から操作部４５を操作してストッパー部４４をガイドレール３のスライド溝３１の溝底面３２ａに押し付けることができる構成であるため、容易に保持部材４，４Ａをガイドレール３に対して固定させることができる。
【００４３】
また、本実施形態では、保持部材４，４Ａ，４Ｂ，４Ｃの連結部４１，４１Ａ及びスライド部４２は、平面視略Ｔ字状で一連に形成された略平板状とされている。従って、例えば、棒状のピン等をスライド部材に捩じ込んだ構造としたものと比べて、当該保持部材４，４Ａ，４Ｂ，４Ｃの強度を向上させることができ、支持体５，５Ａ，５Ｂの固定強度をより向上させることができる。
【００４４】
また、上下のガイドレール３，３にそれぞれ保持される上下の保持部材４，４Ａ，４Ｂ，４Ｃを複数備えている。従って、複数の上下の保持部材４，４Ａの各々に対して、支持体としての収納ユニットを構成する両側板状体５，５（５Ａ，５Ａ）を保持させることができる。また、複数の上下の保持部材４Ｂ，４Ｃの各々に対して、支持体としての複数の棒状支持体５Ｂ、５Ｂを保持させて、それらにテレビ等を支持させることもできる。
【００４５】
また、壁付収納装置１は、支持体保持装置２が備える左右に隣接する一組の上下の保持部材４，４Ａにそれぞれ保持される支持体としての左右の側板状体５，５（５Ａ，５Ａ）と、これら左右の側板状体５，５（５Ａ，５Ａ）の間に設けられる収納部材７とを備えている。
従って、壁面６に対してガイドレール３，３の長手方向の所望の位置に、左右の側板状体５，５（５Ａ，５Ａ）及び収納部材７で構成された収納ユニットを設置することができる。
また、収納ユニットを設置する際や設置後に移動させる際にも、容易に移動させることができる。
【００４６】
次に、本実施形態に係る支持体保持装置２に適用される保持部材の一変形例を、図６（ａ）（ｂ）を用いて説明する。なお、上記した各例との相違点について主に説明し、同様の構成については、同一符号を付し、その説明を省略または簡略に説明する。
本変形例は、上下の保持部材４Ｄ，４Ｄの各スライド部４２，４２にガイドローラー８を設けていない点、及び下側保持部材４Ｄに下部ローラー９を設けていない点が、上記した側板状体５（５Ａ）の上下端部をそれぞれに保持する上下の保持部材４，４Ａとは異なる。また、上下の保持部材４Ｄ，４Ｄは互いに同一形状の同一の部材で構成されている。
本変形例に係る上下の保持部材４Ｄ，４Ｄによれば、簡易な構造とすることができる。
また、本変形例に係る上下の保持部材４Ｄ，４Ｄにおいても、ガイドレール３のスライド溝３１に収納されたスライド部４２が、ガイドレール３の長手方向に自在に移動することができる構成である。そのため、概ね上記同様の効果を奏する。
【００４７】
なお、上下のガイドレール３，３の壁面６への設置位置は、図例のものに限定されることはなく、例えば、上側のガイドレール３を、天井面から比較的に離れた壁面６の上下の途中位置等に設置するようにしてもよい。また、下側のガイドレール３を床面Ｆから比較的に離れた壁面６の上下の途中位置に設置するようにしてもよい。
また、本実施形態では、上下のガイドレール３，３にそれぞれ保持される上下の保持部材４，４Ａ，４Ｂ，４Ｃ，４Ｄを複数備えたものを例示しているが、上下のガイドレール３，３にそれぞれ保持される単一の上側保持部材４，４Ｂ，４Ｄと単一の下側保持部材４Ａ，４Ｃ，４Ｄとを備えたものであってもよい。
【符号の説明】
【００４８】
１                壁付収納装置
２                支持体保持装置
３                ガイドレール
３１              スライド溝
３２ａ            溝底面
４，４Ｂ，４Ｄ    上側保持部材
４Ａ，４Ｃ，４Ｄ  下側保持部材
４１，４１Ａ      連結部
４２              スライド部
４２ａ            スライド部のスライド方向端部
４３              固定部
４４              ストッパー部
４５              操作部
５，５Ａ          側板状体（支持体）
５Ｂ              棒状支持体（支持体）
６                壁面
７                収納部材
【図１】
0005874037.tif 000002
【図２】
0005874037.tif 000003
【図３】
0005874037.tif 000004
【図４】
0005874037.tif 000005
【図５】
0005874037.tif 000006
【図６】
0005874037.tif 000007